(57)【要約】【課題】障子をスライド開閉させる際に、障子の転びを抑え、障子をスムーズに安定して開閉させることができる建具を提供すること。【解決手段】建具は、ガイドレールが形成された枠体と、この枠体内にスライド開閉自在に支持された障子３Ａとを備える。障子３Ａは、左右縦框４，５とこの間に接合された上下框とを有する。下框７にはガイドレールに案内される２つの戸車７１，７２を障子見付け方向に所定間隔離れて設ける。左縦框４下部には、ガイドレールに案内され、障子３Ａの転びを防止するガイドローラ４４を設ける。すると、ガイドローラ４４から戸車７２までの寸法Ｗ１は、戸車７１，７２間の寸法Ｗよりも大きくなり、障子３Ａのバランスが安定する。従って、下框７に戸車７１，７２が設けられている障子３Ａをスライド開閉させる際に、障子３Ａの転びを抑えることができる。【選択図】図３
2007120214.tif 000002
【特許請求の範囲】
【請求項１】
ガイドレールが形成された枠体と、この枠体内にスライド開閉自在に支持された障子とを備えた建具であって、
前記障子は、左右縦框とこの左右縦框の間に接合された上下框とを有しており、
前記下框には前記ガイドレールに案内される少なくとも２つの戸車が障子見付け方向に所定間隔離れて設けられ、
少なくとも一方の縦框の下部には、前記ガイドレールに案内され、前記障子の転びを防止するガイドローラが設けられている建具。
【請求項２】
前記ガイドローラは、前記左右の縦框下部にそれぞれ設けられている請求項１に記載の建具。
【請求項３】
前記左右縦框は、互いに重量が異なるように構成され、
前記ガイドローラは、前記左右縦框のうちで重量の大きい側の縦框下部に設けられている請求項１に記載の建具。
【請求項４】
前記左右の縦框下部には、縦框下部部材が取り付けられ、
前記ガイドローラは、前記縦框下部部材に回転自在に支持されている請求項１から請求項３のいずれかに記載の建具。
【請求項５】
前記縦框下部部材は、本体部材と、前記本体部材に着脱可能に形成された支持部材とを有し、
前記ガイドローラは、前記支持部材に対して回転自在に支持されている請求項４に記載の建具。
【請求項６】
前記ガイドローラを弾性力によって付勢する弾性部材を備え、
前記ガイドローラは、前記弾性部材によって前記ガイドレールに付勢されている請求項１から請求項５のいずれかに記載の建具。
【発明の詳細な説明】
【技術分野】
【０００１】
本発明は、建具に関する。詳しくは、ガイドレールが形成された枠体と、この枠体内にスライド開閉自在に支持された障子とを備えている建具に関する。
【背景技術】
【０００２】
従来、ガイドレールが形成された枠体と、この枠体内にスライド開閉自在に支持された障子とを備え、障子の下部にはガイドレールに案内される戸車が取り付けられている建具として引き戸が知られている（例えば、特許文献１参照）。このような引き戸には、左右縦框と、この左右縦框の間に接合された上下框と、これらを四周枠組みした内部に組み込まれた面材とを備えて形成されている障子が使用されている。
【０００３】
このような引き戸の美観を向上させるため、障子をスリム化するという要請があった。ただし、従来の障子には縦框の下部に戸車が取り付けられており、縦框の見付け寸法は、戸車の見付け寸法より大きいものでなければならなかった。そこで、戸車を縦框にではなく下框に組み込むことで、従来よりも細幅の縦框を使用することが可能となった。このようにして、障子のスリム化を実現することができた。
【０００４】
【特許文献１】特開２００１−９０４４８号公報（図４、図５）
【発明の開示】
【発明が解決しようとする課題】
【０００５】
しかしながら、図７に示すように、戸車９１，９２が下框に組み込まれた障子９は、戸車間寸法Ｗが従来よりも小さくなり、障子９の高さ寸法Ｈが戸車間寸法Ｗの何倍に当たるかを表す寸法比（Ｈ：Ｗ）が大きくなった。このような障子９では、障子９の重心Ａの高さ寸法ＨＡも大きくなるため、重心Ａから一方の戸車９１までの見付け寸法ＷＡに対する前記高さ寸法ＨＡの寸法比（ＨＡ：ＷＡ）も大きくなった。このため、障子９をスライド開閉させる際に、障子９のバランスが崩れて障子９が転び易くなり、障子９をスムーズに安定して開閉させることが難しくなるという問題が生じた。
ここで、障子の転びとは、障子をスライド開閉させる際に、見付け方向に加える力が進行方向側の戸車を支点とする回転力となって障子に作用し、障子が進行方向に傾く現象のことである。障子が転ぶと、障子が枠体に接触して摩擦力が大きくなったり、枠体に障子が嵌まったりして、障子をスムーズに開閉できなくなる。
【０００６】
特に、浴室用、玄関用またはテラス用の引き戸として利用されている３枚引き戸では、戸車間寸法Ｗに対する障子の高さ寸法Ｈの寸法比（Ｈ：Ｗ）が大きい障子が使用されている。このような障子における前述の障子のスリム化の結果、寸法比（Ｈ：Ｗ）が５：１以上となる場合があり、このような障子は、特に転び易いことが分かっている。
また、図７に示すように、スリム化された障子９において、引手９３が取り付けられる戸先框（左縦框）の重量が反対側の召合せ框（右縦框）の重量よりも大きい場合には、重心Ａの見付け方向位置が障子の見付け幅の中点よりも戸先框側へ偏った位置となる。すると、重心Ａから戸先框側の戸車９１までの寸法ＷＡが召合せ框側の戸車９２までの寸法ＷＢより小さくなる場合があった。このため、特に重心Ａから戸車までの寸法の小さい戸先框側へ障子９が転び易い構造となっていた。
【０００７】
本発明の目的は、下框に戸車が設けられたことによって、戸車間寸法に対する障子の高さ寸法の寸法比が大きくなった障子をスライド開閉させる際に、障子の転びを抑えることができ、障子をスムーズに安定して開閉させることができる建具を提供することである。
【課題を解決するための手段】
【０００８】
本発明の建具は、ガイドレールが形成された枠体と、この枠体内にスライド開閉自在に支持された障子とを備えた建具であって、前記障子は、左右縦框とこの左右縦框の間に接合された上下框とを有しており、前記下框には前記ガイドレールに案内される少なくとも２つの戸車が障子見付け方向に所定間隔離れて設けられ、少なくとも一方の縦框の下部には、前記ガイドレールに案内され、前記障子の転びを防止するガイドローラが設けられていることを特徴とする。
【０００９】
この発明によれば、少なくとも一方の縦框下部に設けられたガイドローラから他方の縦框に最も近い戸車までの寸法をＷ１とすると、寸法Ｗ１は、一方の縦框に最も近い戸車から他方の縦框に最も近い戸車までの寸法Ｗよりも大きい。従って、寸法Ｗ１に対する障子の高さ寸法Ｈの寸法比（Ｈ：Ｗ１）は、寸法Ｗに対する寸法Ｈの寸法比（Ｈ：Ｗ）よりも小さくなって、障子のバランスが安定する。従って、下框に戸車が設けられている障子をスライド開閉させる際に、障子の転びを抑えることができ、障子をスムーズに安定して開閉させることができる。
【００１０】
また、下框に設けられた戸車が障子の重量を支えているので、ガイドローラは、障子の転びを防止するためだけの機能を有していればよい。従ってガイドローラを小型軽量化することができ、見付け寸法の小さい細幅の縦框下部に配置することができる。
【００１１】
本発明の建具では、前記ガイドローラは、前記左右の縦框下部にそれぞれ設けられていることが好ましい。
このような構成において、左右縦框下部にそれぞれ設けられたガイドローラによって、障子を見付け方向のどちらの方向にスライドさせる場合でも、障子の転びを抑えることができる。よって、障子を両方向ともスムーズに安定して開閉させることができる。
【００１２】
本発明の建具では、前記左右縦框は、互いに重量が異なるように構成され、前記ガイドローラは、前記左右縦框のうちで重量の大きい側の縦框下部に設けられていることが好ましい。
【００１３】
例えば、障子の左右縦框の一方の縦框が他方よりも見付け寸法が大きく設定されている場合には、戸車が下框に設けられているので、左右縦框の重量差によって、見付け寸法の大きい縦框側に障子が転び易くなっている。また、左右縦框の見付け寸法が同じであっても、一方の縦框にハンドル等の引手部材が取り付けられている場合にも同様に、引手部材の重量によって、引手部材の取り付けられた縦框側に障子が転び易くなっている。
この発明によれば、左右縦框のうちで重量の大きい側の縦框下部にガイドローラが設けられているので、障子の転びを防止し、障子をスムーズに安定して開閉させることができる。
【００１４】
本発明の建具では、前記左右の縦框下部には、縦框下部部材が取り付けられ、前記ガイドローラは、前記縦框下部部材に回転自在に支持されていることが好ましい。
【００１５】
ここで、縦框下部部材は、例えば、キャップや摺動片のことを意味している。キャップは、縦框の端部開口部を塞ぐために取り付けられている。また、摺動片は、縦框の端部開口部を塞ぐとともに、ガイドレールに案内されることで障子とガイドレールとのずれを抑える機能を有している。
このような構成において、縦框下部部材は、ガイドローラが回転自在に取り付けられ、縦框に挿入して取り付けられているので、ガイドローラを縦框に直接取り付けるよりも容易に取り付けることができる。つまり、ガイドローラを縦框に直接取り付けるには、縦框にガイドローラの軸受け等を孔加工や溶接等で取り付ける必要があり容易ではない。これに対し、縦框とは別体の縦框下部部材にガイドローラを取り付ける場合、縦框下部部材は縦框に比べて小さく加工等も容易であり、その縦框下部部材を縦框に容易に挿入して取り付けることができる。従って、ガイドローラを容易に取り付けることができる。
特に、縦框がアルミ等の押出加工によって形成され、縦框下部部材が樹脂で形成されている場合には、樹脂製の縦框下部部材は容易に加工等できるため、ガイドローラも容易に取り付けることができる。また、その樹脂製の縦框下部部材をアルミ製の縦框に容易に挿入することができ、縦框下部部材を介してガイドローラを容易に縦框に取り付けることができる。
【００１６】
本発明の建具では、前記縦框下部部材は、本体部材と、前記本体部材に着脱可能に形成された支持部材とを有し、前記ガイドローラは、前記支持部材に対して回転自在に支持されていることが好ましい。
このような構成において、縦框下部部材は、本体部材と、本体部材に着脱可能な支持部材から構成され、支持部材にガイドローラを内蔵させているので、ガイドローラの交換・修理の際に、着脱可能な支持部材だけを取外せばよく、交換や修理作業が容易にできる。また、支持部材を追加して取り付けられるように設計すれば、既存の縦框下部部材をそのまま用いてガイドローラを後付けすることもできる。
【００１７】
本発明の建具では、前記ガイドローラを弾性力によって付勢する弾性部材を備え、前記ガイドローラは、前記弾性部材によって前記ガイドレールに付勢されていることが好ましい。
【００１８】
このような構成において、戸車の取付位置を調整して戸車の高さ位置が変更した際に、ガイドローラが高さ方向に移動可能で弾性部材の付勢力によって常にガイドレールに当接する方向に付勢されているので、自動的に戸車の高さ位置の変化量に追従する。よって、戸車の取付位置を調整してもガイドローラの高さ調整を個々にする必要がなく、調整作業が複雑にならないで済む。
また、ガイドローラが高さ方向に移動可能で、弾性部材の付勢力によって常にガイドレールに当接する方向に付勢されているので、ガイドレールに凹凸がある場合にガイドローラの高さ位置が自動的にガイドレールの凹凸に追従する。よって、障子の開閉操作の際、ガイドレールの凹凸による障子のガタツキを抑えることができる。
ここで、弾性部材は、ガイドローラを回転自在に支持する支持部材と本体部材との間に挟持されて取り付けられ、ガイドローラは、支持部材を介して弾性部材の付勢力によってガイドレールに当接する方向に付勢されていてもよい。
このような構成によれば、ガイドローラの交換・修理の際の作業を容易にすることと、ガイドローラの高さ調整を自動的にすることとを同時に実現することができる。
【発明を実施するための最良の形態】
【００１９】
（第１実施形態）
本発明の第１実施形態に係る建具である浴室出入口用建具１は、ユニットバス等の浴室の出入口開口部に設けられて浴室と脱衣室とを仕切るもので、図１に示すように、枠体としての建具枠２と、この建具枠２内に支持された３枚の障子３（３Ａ，３Ｂ，３Ｃ）とを備えた連動三連式建具である。
建具枠２は、上枠２１、下枠２２、および左右の縦枠２３を四周枠組みして構成されており、それぞれアルミ押出形材製の部材である。下枠２２には、図示しない３本のガイドレールが形成されており、これら３本のガイドレールで３枚の障子３をそれぞれ支持するように構成されている。３枚の障子３のうち、障子３Ａには、引手部材４５が取り付けられており、この引手部材４５を引いて障子３の開閉操作が実施できるようになっている。
【００２０】
図２および図３に示すように、障子３Ａは、それぞれアルミ押出形材製の左右の縦框４，５、上框６、および下框７と、これらを四周枠組みした内部に組み込まれたガラス製や樹脂製の面材８とを備えて形成されている。ここで、上框６および下框７は、左右の縦框４，５の間に接合されている。また、下框７には、下枠２２のガイドレールに案内される戸車７１，７２が取り付けられ、縦框４，５の下端には、それぞれ後述する縦框下部部材としての第１，第２の摺動片４１，５１が取り付けられている。
戸車７１，７２は、障子３Ａの重量を支え、障子３Ａの開閉操作に伴い下枠２２のガイドレールに沿って転動する。
【００２１】
以下、第１，第２の摺動片４１，５１について、図４および図５も参照して説明する。第１，第２の摺動片４１，５１は、本体部材４２，５２と、第１，第２のガイドローラ４４，５４を回転自在に支持している支持部材４３，５３とを備えて構成されている。
本体部材４２，５２は、それぞれ障子３Ａの縦框４，５下端に挿入して取り付けられる樹脂製の部材である。また、図４に示すように、それぞれ下方に開口した凹溝状の被案内部４２Ａ，５２Ａを有し、この被案内部４２Ａ，５２Ａで下枠２２のガイドレールを見込み方向両側から挟むことで、建具枠２に対して障子３Ａの見込み方向のがたつきを防止するものである。
【００２２】
支持部材４３は、樹脂製の部材で、図５に示すように、２つの係止部４３Ａを有し、本体部材４２の内部に挿入して取り付けられている。２つの係止部４３Ａは、弾性変形して本体部材４２に挿通され、取付位置において元の形状に戻ることで本体部材４２に係止し固定される。従って、支持部材４３は、必要に応じて本体部材４２から容易に脱着することができる。
第１のガイドローラ４４は、１つのローラで構成され、支持部材４３の内部に見込み方向の軸周りに回転自在に収納支持されている。このガイドローラ４４は、下枠２２のガイドレールに当接可能な位置に設けられ、金属材料や樹脂材料から形成されている。
また、第２のガイドローラ５４を有する支持部材５３についても、支持部材４３と同じ構造となっている。
【００２３】
また、図４に示すように、縦框４は、横断面がコ字状で見込み方向に突出した突出部４Ａが高さ方向に沿って一体に形成されている。突出部４Ａには前述の引手部材４５の取り付け用の孔が形成されており、その孔に引手部材４５が嵌め込まれている。このように、縦框４は、突出部４Ａを有しているので、縦框５よりも見付け寸法が大きく、重量も大きい。
【００２４】
以上のような、本体部材４２，５２、支持部材４３，５３、第１，第２のガイドローラ４４，５４によって第１，第２の摺動片４１，５１が構成されており、障子３Ａの開閉操作に伴い下枠２２のガイドレールに沿って第１，第２のガイドローラ４４，５４が転動する。この際、戸車７１，７２は下框７に取り付けられ、第１，第２のガイドローラ４４，５４は、下框７の両側に接合された左右の縦框４，５の下端にそれぞれ第１，第２の摺動片４１，５１を介して取り付けられている。よって、図３に示すように、戸車７１，７２間の寸法Ｗに対して、第１，第２のガイドローラ４４，５４間の寸法Ｗ２のほうが大きくなっている。
【００２５】
このような本実施形態によれば、次のような効果がある。
（１）図２に示すように、浴室出入口用建具１の戸車間寸法Ｗに対する障子３Ａの高さ寸法Ｈの寸法比（Ｈ：Ｗ）が大きな障子３Ａにおいて、左右の縦框４，５の下端に第１，第２のガイドローラ４４，５４を設けたので、戸車７１，７２間の寸法Ｗよりも、第１，第２のガイドローラ４４，５４間の寸法Ｗ２のほうが大きくなっている。よって、障子３Ａの重心Ａから各ガイドローラ４４，５４までの見付け寸法ＷＡ２，ＷＢ２が、それぞれ重心Ａから各戸車７１，７２までの見付け寸法ＷＡ，ＷＢより大きくなり、寸法ＷＡ２，ＷＢ２に対する重心Ａの高さ寸法ＨＡの各寸法比（ＨＡ：ＷＡ２およびＨＡ：ＷＢ２）が寸法ＷＡ，ＷＢに対する寸法ＨＡの各寸法比（ＨＡ：ＷＡおよびＨＡ：ＷＢ）よりも小さくなっている。従って、障子３Ａのバランスが第１，第２のガイドローラ４４，５４を設けたことで安定し、障子３Ａをガイドレールに沿っていずれの方向にスライド開閉させる際にも、障子３Ａの転びを抑えることができ、障子３Ａをスムーズに安定して開閉させることができる。
特に、戸車間寸法Ｗに対する障子３Ａの高さ寸法Ｈの寸法比（Ｈ：Ｗ）が５：１以上の障子３Ａは、バランスが不安定になり転び易い。このような障子３Ａに前記第１，第２のガイドローラ４４，５４を設け、ガイドローラ間寸法Ｗ２に対する寸法Ｈの寸法比（Ｈ：Ｗ２）を５：１より小さく設定すれば、障子３Ａの転び防止の効果が大きい。
【００２６】
（２）障子３Ａの重量は戸車７１，７２によって支えられているので、第１，第２のガイドローラ４４，５４は、障子３Ａの重量を支える必要はなく、戸車７１，７２よりも径を小さくして軽量、小型にすることができる。従って、左右の縦框４，５の下部にも容易に取り付けることができ、障子３Ａの安定開閉と縦框構造のスリム化とを両立させることができる。
【００２７】
（３）第１，第２の摺動片４１，５１は、本体部材４２，５２と、これに着脱可能な支持部材４３，５３とから構成され、支持部材４３，５３は、第１，第２のガイドローラ４４，５４を内蔵しているので、ガイドローラ４４，５４を容易に取り付けることができる。
つまり、左右の縦框４，５に、ガイドローラ４４，５４を直接取り付けるには、縦框４，５にガイドローラ４４，５４の軸受け等を孔加工や溶接等で取り付ける必要があり容易ではない。これに対し、本実施形態では、縦框４，５とは別体の第１，第２の摺動片４１，５１にガイドローラ４４，５４を取り付けているので、加工や組立を容易に行うことができる。特に、本実施形態では、第１，第２の摺動片４１，５１に着脱できる支持部材４３，５３にガイドローラ４４，５４が支持されているので、加工・組立をより一層容易に行うことができる。従って、第１，第２のガイドローラ４４，５４を容易に取り付けることができる。
また、交換および修理の際も、着脱可能な支持部材４３，５３だけを取外せば、第１，第２のガイドローラ４４，５４を容易に交換や修理作業ができる。さらに、支持部材４３，５３を既存の摺動片に追加して取り付けられるように設計すれば、既存の摺動片をそのまま用いて第１，第２のガイドローラ４４，５４を後付けすることもできる。
【００２８】
（第２実施形態）
本発明の第２実施形態に係る建具である浴室出入口用建具の基本的構成は、第１実施形態と同様であるが、第２実施形態は、第１，第２のガイドローラ４４，５４が弾性部材によって下枠２２のガイドレールに当接する方向に付勢されている点に特徴を有する。
【００２９】
図６に示すように、左の縦框４下部に設けられている第１の摺動片４６は、本体部材４７と、第１のガイドローラ４４を回転自在に支持している支持部材４８と、弾性部材としてのコイルばね４９とを備えて構成されている。
本体部材４７は、障子３Ａの縦框４の下端に挿入して取り付けられた樹脂製の部材である。
支持部材４８は、係止部４８Ａを有し、本体部材４７の内部に挿入して取り付けられる樹脂製の部材である。この係止部４８Ａは、弾性変形して本体部材４７に挿通され、所定の長さ挿通されたところで元の形状に戻り、本体部材４７から支持部材４８が抜け落ちるのを防止している。この際、支持部材４８は、第１のガイドローラ４４がガイドレールに当接する方向に所定の長さだけ移動可能に支持されている。
第１のガイドローラ４４は、１つのローラで構成され、支持部材４８の内部に見込み方向の軸周りに回転自在に収納支持されている。このガイドローラ４４は、下枠２２のガイドレールに当接可能な位置に設けられ、金属材料や樹脂材料から形成されている。
【００３０】
コイルばね４９は、係止部４８Ａの外周に配置され、本体部材４７と支持部材４８とに挟持され圧縮された状態で第１の摺動片４６の内部に収納されている。そして、コイルばね４９の圧縮による弾性力によって、支持部材４８は、第１のガイドローラ４４がガイドレールに当接する方向に付勢されている。
右の縦框５下部に取り付けられる第２のガイドローラ５４を有する図示しない第２の摺動片についても、前述の第１の摺動片４６と同様に構成されている。
【００３１】
以上のような、第１の摺動片４６および第２の摺動片が構成され、障子３Ａの開閉操作に伴い下枠２２のガイドレールに沿って第１、第２のガイドローラ４４，５４が転動する。この際、下框に取り付けられた戸車７１，７２の高さ方向の位置に対応して、第１、第２のガイドローラ４４，５４が高さ方向に移動する。
【００３２】
このような第２実施形態によれば、上記の効果に加えて次のような効果がある。
（４）戸車７１の取付位置を調整して戸車７１の高さ位置が変化した際に、コイルばね４９が、支持部材４８と本体部材４７との間に挟持されて取り付けられ、第１のガイドローラ４４は、支持部材４８を介してコイルばね４９の付勢力によってガイドレールに当接する方向に付勢されているので、自動的に戸車７１の高さ位置の変化量に追従する。よって、戸車７１の取付位置を調整しても第１のガイドローラ４４の高さ調整をする必要がなく、調整作業が複雑にならないで済む。戸車７２の取付位置を調整した際にも、第１のガイドローラ４４と同様に第２のガイドローラ５４の高さ調整をする必要がなく、調整作業が複雑にならない。
【００３３】
（５）第１のガイドローラ４４が高さ方向に移動可能で、コイルばね４９の付勢力によって常にガイドレールに当接する方向に付勢されているので、ガイドレールに凹凸がある場合に第１のガイドローラ４４の高さ位置が自動的にガイドレールの凹凸に追従する。よって、障子３Ａの開閉操作の際、ガイドレールの凹凸による障子３Ａのガタツキを抑えることができる。第２のガイドローラ５４についても第１のガイドローラ４４と同様の効果が得られる。
【００３４】
なお、本発明は前述の実施形態に限定されるものではなく、本発明の目的を達成できる範囲での変形、改良等は本発明に含まれるものである。
例えば、前記各実施形態において、第１、第２のガイドローラ４４，５４は、単数のローラで構成されているが、これらのガイドローラ４４，５４は、それぞれ複数のローラから構成されるものであってもよい。
【００３５】
また、前記各実施形態において、戸車７１，７２の両方の見付け方向外側に第１，第２のガイドローラ４４，５４を設けているが、いずれか一方の戸車の見付け方向外側にガイドローラを設けてもよい。特に、一方のみにガイドローラを設ける場合、左右の縦框４，５のうち、重量の大きい縦框側、つまり、障子が転び易い側にのみガイドローラを設けることが好ましい。
【００３６】
また、前記各実施形態において、第１、第２のガイドローラ４４，５４は第１、第２の摺動片４１，５１に支持部材４３，５３を介して取り付けられているが、これらのガイドローラ４４，５４を摺動片４１，５１に直接取り付けてもよく、あるいは、左右の縦框４，５に直接取り付けてもよい。
また、前記各実施形態において、第１、第２のガイドローラ４４，５４は第１、第２の摺動片４１，５１に支持部材４３，５３を介して取り付けられているが、左右の縦框４，５の下部に摺動片４１，５１の代わりにキャップが挿入されている場合には、そのキャップに支持部材４３，５３を介してガイドローラ４４，５４を取り付けてもよい。
また、前記各実施形態で説明した建具は、浴室出入口用の建具として説明したが、浴室出入口用以外の引き戸として、例えば玄関用またはテラス用の引き戸として適用してもよい。また、連動三連式建具に限らず、２枚の障子を有する引違い戸や１枚の障子を有する片引き戸にも適用できる。また、４枚の障子から構成される引違い戸等にも適用できる。
また、前記各実施形態で説明した建具は、戸車間寸法Wに対する障子の高さ寸法Ｈの寸法比（Ｈ：Ｗ）が大きい障子として説明したが、これに限らず戸車間寸法に対して障子の高さ寸法が小さい幅広の障子にも適用できる。
【００３７】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００３８】
【図１】本発明の第１実施形態に係る建具を示す正面図。
【図２】同上実施形態の障子を示す正面図。
【図３】同上実施形態の障子下部を示す部分拡大図。
【図４】同上実施形態の障子における摺動片の取付方法を説明する斜視図。
【図５】同上実施形態の摺動片における支持部材の取付方法を説明する斜視図。
【図６】本発明の第２実施形態に係る障子下部を示す部分拡大図。
【図７】従来の建具を示す正面図。
【符号の説明】
【００３９】
１…浴室出入口用建具（建具）、２…建具枠（枠体）、３，３Ａ，３Ｂ，３Ｃ…障子、４，５…左右の縦框、６…上框、７…下框、４１…第１の摺動片（縦框下部部材）、４２…本体部材、４３…支持部材、４４…第１のガイドローラ、４６…第１の摺動片（縦框下部部材）、４７…本体部材、４８…支持部材、４９…コイルばね（弾性部材）、５１…第２の摺動片（縦框下部部材）、５２…本体部材、５３…支持部材、５４…第２のガイドローラ、７１，７２…戸車
【図１】
2007120214.tif 000003
【図２】
2007120214.tif 000004
【図３】
2007120214.tif 000005
【図４】
2007120214.tif 000006
【図５】
2007120214.tif 000007
【図６】
2007120214.tif 000008
【図７】
2007120214.tif 000009